(57)【特許請求の範囲】
【請求項１】
ストロボを用いた撮影が可能な撮像装置であって、
被写体を撮像して画像データを出力する撮像手段と、
前記撮像手段の撮像感度を調節する撮像感度調節手段と、
開放側絞り値と小絞り側絞り値とで絞り値が切り替え可能な光量調節用の絞りを制御する絞り制御手段と、
前記被写体の測光を行う測光手段と、
前記ストロボの本発光量を算出する本発光量算出手段と、
前記本発光量算出手段により算出された本発光量と前記ストロボの可能発光量とを比較する比較手段と、
前記比較手段により比較した結果、前記本発光量が前記ストロボの最大発光量を上回った場合には、前記最大発光量を上回った分だけ前記撮影感度を上げるように前記撮像感度調節手段の制御を行い、前記本発光量が前記ストロボの最小発光量を下回った場合には、前記絞りを絞るように前記絞り制御手段の制御を行う制御手段と、を有し、
前記本発光量算出手段は、前記ストロボでプリ発光を行った際の前記測光手段による測光結果に基づいて、前記開放側絞り値が設定されたときに必要とされる第１の本発光量を算出し、前記比較手段により比較した結果、前記第１の本発光量が前記ストロボの最小発光量を下回り、かつ、前記小絞り側絞り値が設定されたときに前記最小発光量では光量不足となる場合、前記小絞り側絞り値が設定されたときに必要とされる第２の本発光量を算出することを特徴とする撮像装置。
【請求項２】
被写体を撮像して画像データを出力する撮像手段と、前記撮像手段の撮像感度を調節する撮像感度調節手段と、開放側絞り値と小絞り側絞り値とで絞り値が切り替え可能な光量調節用の絞りを制御する絞り制御手段と、前記被写体の測光を行う測光手段と、を有する、ストロボを用いた撮影が可能な撮像装置の制御方法であって、
前記ストロボでプリ発光を行った際の前記測光手段による測光結果に基づき、前記ストロボの本発光量を算出する本発光量算出工程と、
前記本発光量算出工程により算出された本発光量と前記ストロボの可能発光量とを比較する比較工程と、
前記比較工程により比較した結果、前記本発光量が前記ストロボの最大発光量を上回った場合には、前記最大発光量を上回った分だけ前記撮影感度を上げるように前記撮像感度調節手段の制御を行い、前記本発光量が前記ストロボの最小発光量を下回った場合には、前記絞りを絞るように前記絞り制御手段の制御を行う制御工程と、を有し、
前記本発光量算出工程は、前記ストロボでプリ発光を行った際の前記測光手段による測光結果に基づいて、前記開放側絞り値が設定されたときに必要とされる第１の本発光量を算出し、前記比較工程で比較した結果、前記第１の本発光量が前記ストロボの最小発光量を下回り、かつ、前記小絞り側絞り値が設定されたときに前記最小発光量では光量不足となる場合、前記小絞り側絞り値が設定されたときに必要とされる第２の本発光量を算出することを特徴とする撮像装置の制御方法。
【発明の詳細な説明】
【０００１】
【発明の属する技術分野】
本発明は、静止画像や動画像を撮像、記録、再生する撮像装置及びその制御方法に関するものである。
【０００２】
【従来の技術】
固体メモリ素子を有するメモリカードを記録媒体として、静止画像や動画像を記録再生する電子カメラ等の撮像装置（画像処理装置）は既に市販されており、カラー液晶パネル等の電子ファインダーを備える電子カメラも販売されている。
【０００３】
これらの電子カメラでは、撮影前の画像を連続して表示して電子カメラの使用者が構図を決定することや、撮影した画像を再生表示して確認することが可能である。
【０００４】
特に、撮影した画像を撮影直後に再生する機能は利便性が高く、電子カメラの使用者にとって有益な機能となっている。
【０００５】
このような電子カメラ等の撮像装置においては、ストロボを内蔵したものが主流であり、ストロボの発光により撮影する場合、実際に撮影する本露光用のシャッターレリーズをする前に被写体条件を測定する（調光）ために、事前にストロボを発光するプリ発光による測光が行われ、露光条件を決定してから本露光の閃光装置を発光（本発光）する。
【０００６】
上記の方式において、従来では、本発光の露出制御値を決定してから、本発光の発光時間を算出するようにしている。
【０００７】
【発明が解決しようとする課題】
しかしながら、上記のように従来では、本発光の露出制御値を決定してから、本発光の発光時間を算出しているため、本発光の最小発光時間（最小発光量）よりも低い発光時間を算出されても、本発光は最小発光時間でしか発光させることができないため、露出オーバーするという問題点があった。
【０００８】
本発明は、上記のような問題点を解決するためになされたものであり、最小発光量よりも低い発光量を算出されても本露光時に露出オーバーしてしまうことのない撮像装置及びその制御方法を提供することを目的とする。
【０００９】
【課題を解決するための手段】
上記目的を達成するために、本発明にかかる撮像装置は、ストロボを用いた撮影が可能な撮像装置であって、被写体を撮像して画像データを出力する撮像手段と、前記撮像手段の撮像感度を調節する撮像感度調節手段と、開放側絞り値と小絞り側絞り値とで絞り値が切り替え可能な光量調節用の絞りを制御する絞り制御手段と、前記被写体の測光を行う測光手段と、前記ストロボの本発光量を算出する本発光量算出手段と、前記本発光量算出手段により算出された本発光量と前記ストロボの可能発光量とを比較する比較手段と、前記比較手段により比較した結果、前記本発光量が前記ストロボの最大発光量を上回った場合には、前記最大発光量を上回った分だけ前記撮影感度を上げるように前記撮像感度調節手段の制御を行い、前記本発光量が前記ストロボの最小発光量を下回った場合には、前記絞りを絞るように前記絞り制御手段の制御を行う制御手段と、を有し、前記本発光量算出手段は、前記ストロボでプリ発光を行った際の前記測光手段による測光結果に基づいて、前記開放側絞り値が設定されたときに必要とされる第１の本発光量を算出し、前記比較手段により比較した結果、前記第１の本発光量が前記ストロボの最小発光量を下回り、かつ、前記小絞り側絞り値が設定されたときに前記最小発光量では光量不足となる場合、前記小絞り側絞り値が設定されたときに必要とされる第２の本発光量を算出することを特徴とする。
【００１０】
また、上記目的を達成するために、本発明にかかる撮像装置の制御方法は、被写体を撮像して画像データを出力する撮像手段と、前記撮像手段の撮像感度を調節する撮像感度調節手段と、開放側絞り値と小絞り側絞り値とで絞り値が切り替え可能な光量調節用の絞りを制御する絞り制御手段と、前記被写体の測光を行う測光手段と、を有する、ストロボを用いた撮影が可能な撮像装置の制御方法であって、前記ストロボでプリ発光を行った際の前記測光手段による測光結果に基づき、前記ストロボの本発光量を算出する本発光量算出工程と、前記本発光量算出工程により算出された本発光量と前記ストロボの可能発光量とを比較する比較工程と、前記比較工程により比較した結果、前記本発光量が前記ストロボの最大発光量を上回った場合には、前記最大発光量を上回った分だけ前記撮影感度を上げるように前記撮像感度調節手段の制御を行い、前記本発光量が前記ストロボの最小発光量を下回った場合には、前記絞りを絞るように前記絞り制御手段の制御を行う制御工程と、を有し、前記本発光量算出工程は、前記ストロボでプリ発光を行った際の前記測光手段による測光結果に基づいて、前記開放側絞り値が設定されたときに必要とされる第１の本発光量を算出し、前記比較工程で比較した結果、前記第１の本発光量が前記ストロボの最小発光量を下回り、かつ、前記小絞り側絞り値が設定されたときに前記最小発光量では光量不足となる場合、前記小絞り側絞り値が設定されたときに必要とされる第２の本発光量を算出することを特徴とする。
【００２１】
【発明の実施の形態】
以下、図面を参照して本発明の実施例を説明する。
【００２２】
図１は、本発明の実施例の構成を示すブロック図である。
【００２３】
図１において、１００は撮像装置（画像処理装置）である。
【００２４】
１０は変倍系レンズ群、１１は合焦系レンズ群、１２は絞り機能を備えるシャッター、１４は光学像を電気信号に変換する撮像素子、１５は撮像素子（撮像手段）１４の感度を設定する撮像感度調節手段である。
【００２５】
１６は撮像素子１４のアナログ信号出力をディジタル信号に変換するＡ／Ｄ変換器、１８は撮像素子１４、  Ａ／Ｄ変換器１６、  Ｄ／Ａ変換器２６にクロック信号や制御信号を供給するタイミング発生回路であり、メモリ制御回路２２及びシステム制御回路５０により制御される。
【００２６】
変倍系レンズ群１０による変倍率はＷｉｄｅ端からＴｅｌｅ端までを６分割し、Ｗｉｄｅ端とＴｅｌｅ端を含めて７ポジションの変倍を可能とする構成を採用している。
【００２７】
２０は画像処理回路であり、  Ａ／Ｄ変換器１６からのデータ或いはメモリ制御回路２２からのデータに対して所定の画素補間処理や色変換処理を行う。
【００２８】
また、画像処理回路２０においては、撮像した画像データを用いて所定の演算処理を行い、得られた演算結果に基づいてシステム制御回路５０が自動露出制御手段（露光制御手段）４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００２９】
さらに、画像処理回路２０においては、撮像した画像データを用いて所定の演算処理を行い、得られた演算結果に基づいてＴＴＬ方式のＡＷＢ（オートホワイトバランス）処理も行っている。
【００３０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３２】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００３３】
画像表示部２８を用いて撮像した画像データを逐次表示すれば、電子ファインダー機能を実現することが可能である。
【００３４】
また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００３５】
３０は撮影した静止画像や動画像を格納するためのメモリであり、所定枚数の静止画像や所定時間の動画像を格納するのに十分な記憶量を備えている。
【００３６】
これにより、複数枚の静止画像を連続して撮影する連射撮影やパノラマ撮影の場合にも、高速かつ大量の画像書き込みをメモリ３０に対して行うことが可能となる。
【００３７】
また、メモリ３０はシステム制御回路５０の作業領域としても使用することが可能である。
【００３８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３９】
４０は絞り機能を備えるシャッター１２、タイミング発生回路１８による撮像素子１４の電荷排出動作から読み出し動作までの蓄積時間を制御する電子シャッター制御手段及び、撮像感度調節手段１５を制御する自動露出制御手段であり、フラッシュ（以後、ストロボともいう）４８と連携することによりフラッシュ調光機能も有するものである。
【００４０】
４２は合焦系レンズ１１のフォーカシングを制御する測距制御手段、４４は変倍系レンズ１０のズーミングを制御するズーム制御手段、４６はバリアである保護手段１０２の動作を制御するバリア制御手段である。
【００４１】
４８はフラッシュであり、ＡＦ補助光の投光機能、フラッシュ調光機能も有する。
【００４２】
自動露出制御手段４０、測距制御手段４２はＴＴＬ方式を用いて制御されており、撮像した画像データを画像処理回路２０によって演算した演算結果に基づき、システム制御回路５０が自動露出制御手段４０、測距制御手段４２に対して制御を行う。自動露出制御手段４０の詳細については後に述べることとする。
【００４３】
５０は撮像装置１００全体を制御するシステム制御回路、５２はシステム制御回路５０の動作用の定数、変数、プログラム等を記憶するメモリである。
【００４４】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００４５】
また、表示部５４は、その一部の機能が光学ファインダ１０４内に設置されている。
【００４６】
表示部５４の表示内容のうち、ＬＣＤ等に表示するものとしては、シングルショット／連写撮影表示、長秒時撮影表示、夜景撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、（赤目緩和ランプ点灯、前回の撮影からの）経過時間表示、マクロ撮影表示、ブザー設定表示、時計用電池残量表示、電池残量表示、エラー表示、複数桁の数字による情報表示、記録媒体２００，２１０の着脱状態表示、通信Ｉ／Ｆ動作表示、日付け・時刻表示、等がある。
【００４７】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００４８】
５６は電気的に消去・記録可能な不揮発性メモリであり、例えばＥＥＰＲＯＭ等が用いられる。
【００４９】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００５０】
ここで、これらの操作手段の具体的な説明を行う。
【００５１】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００５２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５３】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは記録媒体２１０に画像データを書き込む記録処理という一連の処理の動作開始を指示する。
【００５４】
６６は画像表示ＯＮ／ＯＦＦスイッチで、画像表示部２８のＯＮ／ＯＦＦを設定することができる。
【００５５】
この機能により、光学ファインダ１０４を用いて撮影を行う際に、ＴＦＴ  ＬＣＤ等から成る画像表示部への電流供給を遮断することにより、省電力を図ることが可能となる。
【００５６】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００５７】
６７、６９は夫々変倍系レンズ群１０の駆動方向を指示するＴｅｌｅ  Ｓｗ及び、Ｗｉｄｅ  Ｓｗである。Ｔｅｌｅ  Ｓｗ及びＷｉｄｅ  Ｓｗは、機械的に何れか一方のＳｗのみがＯＮ状態になるように構成されるものとする。
【００５８】
７０は各種ボタンやタッチパネル等からなる操作部で、メニューボタン、セットボタン、マクロ／非マクロ切り替えボタン、マルチ画面再生改ページボタン、フラッシュ設定ボタン、単写／連写／セルフタイマー／長秒時（スローシャッター）／モード切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００５９】
なお、フラッシュ設定には、自動発光／強制発光／発行禁止／赤目緩和自動発光／夜景発光モードが存在する。ここで、上記撮影モード切り替えボタンでスローシャッターモードに切り替えた時にフラッシュモードを自動的に発光禁止モードに切り替えたりする構成をとるのはカメラの設計方針でどの組み合わせで行っても構わない。すべてを使用者の設定に任せるのは言うまでもない。
【００６０】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００６１】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６２】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは記録媒体２１０が装着されているか否かを検知する記録媒体着脱検知手段である。
【００６３】
尚、本実施例では記録媒体を取り付けるインターフェース及びコネクタを２系統持つものとして説明している。勿論、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００６４】
インターフェース及びコネクタとしては、ＰＣＭＣＩＡカードやＣＦ（コンパクトフラッシュ）カード等の規格に準拠したものを用いて構成して構わない。
【００６５】
さらに、インターフェース９０，９４、そしてコネクタ９２，９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００６６】
１０２は、撮像装置１００の変倍系レンズ１０及び、合焦系レンズ１１を含む撮像部を覆うことにより、撮像部の汚れや破損を防止するバリアである保護手段である。
【００６７】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示、マクロ撮影設定表示等が設置されている。
【００６８】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６９】
１１２は通信手段１１０により撮像装置１００を他の機器と接続するコネクタ或いは無線通信の場合はアンテナである。
【００７０】
２００はメモリカードやハードディスク等の記録媒体である。
【００７１】
記録媒体２００は、半導体メモリや磁気ディスク等から構成される記録部２０２、撮像装置１００とのインターフェース２０４、撮像装置１００と接続を行うコネクタ２０６を備えている。
【００７２】
２１０はメモリカードやハードディスク等の記録媒体である。
【００７３】
記録媒体２１０は、半導体メモリや磁気ディスク等から構成される記録部２１２、撮像装置１００とのインターフェース２０４、撮像装置１００と接続を行うコネクタ２０６を備えている。
【００７４】
図１と図２と図３を参照して、第１の実施例の動作を説明する。
【００７５】
図２は本実施例の撮像装置の撮像制御動作を示すフローチャートであり、図２を用いて撮像装置１００の主ルーチンを説明する。なお、本動作はメモリ５２内に記憶されたプログラムに基づいてシステム制御回路５０内の不図示のＣＰＵの指示により実行される。
【００７６】
モードダイアル６０を電源ＯＦＦの状態から電源ＯＮの状態（撮像モード）にすると、システム制御回路５０がモードダイアルの状態を検出する（Ｓ１０１）。
【００７７】
次にシャッタースイッチ（ＳＷ１）６２が押されたら（Ｓ１０２）、システム制御回路５０は、撮像手段を起動し（Ｓ１０３）、撮像素子１４からの画像信号データを用いて所定の演算処理を行い、得られた演算結果に基づいて測距制御手段４２に対し測距処理を行って合焦系レンズ１１の焦点を被写体に合わせ、ＡＦ制御を行う（Ｓ１０４）。
【００７８】
続いて、システム制御回路５０は、露出制御手段４０を起動して、適正露出にするように絞り手段、シャッター手段を行って、絞り制御（ＡｖＡＥ）値、シャッター制御（ＴｖＡＥ）値、撮像感度（ＳｖＡＥ）値から、被写体輝度（ＢｖＡＥ）値を算出するＡＥ制御を行う（Ｓ１０５）。次に、システム制御回路５０は、撮像素子１４からの画像信号データを用いて所定の演算処理を行い、得られた演算結果がホワイトバランスとして適正と判断されるまで画像処理回路２０を用いて、ＡＷＢ（オートホワイトバランス）制御を行う（Ｓ１０６）。
【００７９】
次に、シャッタースイッチ（ＳＷ２）６２が押されたら（Ｓ１０７）、システム制御回路５０は、ストロボ制御手段４９と露出制御手段４０を起動して、適正に調光できるようにＥＦ制御（Ｓ２００）を行う。次に、記録する画像を撮影するための本露光を行う（Ｓ１０８）。
【００８０】
最後に、インターフェース９０或いは９４、コネクタ９２或いは９６を介して、メモリカードやコンパクトフラッシュカード等の記録媒体２００或いは記録媒体２１０へ画像データの書き込みを行う（Ｓ１０９）。シャッタースイッチ（ＳＷ２）６２が押されない場合、ＳＷ２が押されるまで待機する。
【００８１】
次に、ＥＦ制御について図３を用いて説明する。
【００８２】
図３は第１の実施例によるＥＦ制御動作を示すフローチャートである。
【００８３】
システム制御回路５０は、ＡＥ制御での露出制御値ＡｖＡＥ値、ＴｖＡＥ値、ＳｖＡＥ値（Ｓ２０１）、またＡＦ制御での距離情報（Ｌ）値（Ｓ２０２）を取得する。次にシステム制御回路５０は、露出制御手段４０を起動し、絞り機能を備えるシャッター１２を制御して絞り制御（１）を行う（Ｓ２０３）。
【００８４】
システム制御回路５０は、ＡＦ制御での距離情報（Ｌ）を基に、切り替えポイント式で決定した絞りと、ＡＥ制御での絞り（ＡｖＡＥ）値を比較し、小絞り側を選択しプリ発光時の絞り（ＡｖＰｒｅ）値を得る。これは、被写体が近すぎたり、反射率が高すぎる場合を想定して、プリ発光時にオーバーフローしないようにするためである。切り替えポイント（Ｌｐ）の式を以下に示す。
【００８５】
Ｌｐ＝−２．５×Ｚｐ＋７０
Ｚｐ（ＺｏｏｍＰｏｓｉｔｉｏｎ）：Ｗｉｄｅ＝０，ｍ１＝１，ｍ２＝２，ｍ３＝３，ｍ４＝４，ｍ５＝５，Ｔｅｌｅ＝６
Ｌ（ＡＦからの距離情報）  ≧  Ｌｐの時  開放
Ｌ        ＜  Ｌｐの時  小絞り
次に、露出制御手段４０は、撮像感度調節手段１５を制御してＰＤＧ（プリ発光時のゲイン）演算を行う（Ｓ２０４）。システム制御回路５０は、ＡＦ制御での距離情報（Ｌ）と絞り制御での絞りを基に下記の関数式から求めＰＤＧを算出する。ただし、ゲインアップは、最大で＋３段までとする。関数式を以下に示す。
【００８６】
ＤｅｌｔａＧａｉｎ＝  ２×Ｌｏｇ2（Ｌ／１００）＋Ｇｎ＋Ｌｏｇ2（Ｚｐ／６＋１）
開放時    Ｇｎ＝０．７２
小絞り時  Ｇｎ＝３．７２
次に、露出制御手段４０は、絞り機能を備えるシャッター１２を制御し、上記露出制御値算出手段が、図示していないがプログラム線図から、絞り制御（ＡｖＰｒｅ）値，ＰＤＧを基にプリ発光時のシャッター制御（ＴｖＰｒｅ）値を解析して算出し、シャッター制御（１）を行う（Ｓ２０５）。
【００８７】
次に、システム制御回路５０は撮像素子１４から撮像した電荷信号を読み出す。画像処理回路２０は、Ａ／Ｄ変換器１６を介して逐次読み込まれる撮影画像データをシステム制御回路５０に予め設定された複数の分割された領域毎に光束積分演算を行う。
【００８８】
測光手段は、システム制御回路５０のメモリ５２にプログラミングされ、上記光束積分演算出力から１画素単位の積分値に換算した後、分割された領域の面積比率に応じた各領域毎の評価値を演算する。この各領域毎の評価値に所定の重み付けを行って、輝度（ΔＹＤＬｎ）値を算出する。
【００８９】
上記ΔＹＤＬｎが得られた時の絞り制御（ＡｖＰｒｅ）値、シャッター制御（ＴｖＰｒｅ）値、プリ発光時のゲイン（ＰＤＧ）値、撮像感度（ＳｖＡＥ）値に基づいて定常光輝度値（ＹＤＬｎ）値を算出し、定常光測光を行う（Ｓ２０６）。
【００９０】
次に、システム制御回路５０は、ストロボ制御回路４９を起動して、ストロボ４８を制御して２４μＳで発光させプリ発光を行う（Ｓ２０７）。その後、上記の定常光測光と同等の制御、演算で、プリ発光輝度（ＹＦＬｎ）値を算出する（Ｓ２０８）。
【００９１】
次に、システム制御回路５０は、プリ発光時のゲイン（ＰＤＧ）値を０に演算し直し、本発光時の仮ゲイン（ＸＤＧ）値とする。また、絞り制御値に対しても、所定距離未満であればプリ発光時の絞り制御（ＡｖＰｒｅ）値、所定距離以上であればＡＥ制御での絞り制御（ＡｖＡＥ）値を選択し直し、本発光時の仮絞り制御（ＸＡｖ）値とする。次に、露出制御値算出手段を起動して、図示していないがプログラム線図から、ＸＡｖ値，ＸＤＧを基に本発光時の仮シャッター制御（ＸＴｖ）値を解析して算出しなおし、ＸＤＧ、ＸＡｖ、ＸＴｖを本発光仮露出制御値とする（Ｓ２０９）。
【００９２】
次に、システム制御回路は、ＸＤＧとＰＤＧ、ＸＡｖとＡｖＰｒｅ、ＸＴｖとＴｖＰｒｅの差から補正値（ＡｖＤＧ＿Ｈｏｓｅｉ、ＡｖＴｖＤＧ＿Ｈｏｓｅｉ）を演算する。次に定常光、Ｐｒｅ発光測光結果からの各領域毎の定常光測光値（ＹＤＬｎ）とＰｒｅ発光測光値（ＹＦＬｎ）にそれぞれ所定の重み付け（Ｐ［ｎ］）を行い、それぞれ平均の定常光測光値（ＹＤＬｎ）プリ発光測光値（ＹＦＬｎ）を算出する。上記の補正値、目標レベルＹｒｅｆ、平均の定常光測光値（ＹＤＬｎ），平均のプリ発光測光値（ＹＦＬｎ）から各ストロボ発光量（ΔＥＦ）を演算する。以下に計算式を示す。
【００９３】
ΔＥＦ＝Ｌｏｇ2（（ＹＦＬ−ＹＤＬ）×ＡｖＤＧ＿Ｈｏｓｅｉ）／（Ｙｒｅｆ−ＹＤＬｎ×ＡｖＴｖＤＧ＿Ｈｏｓｅｉ））
システム制御回路５０は、メモリ５２にプログラミングされているストロボ発光量（ＥＦ＿Ｅｖ）と発光時間のテーブルから、上記で算出されたΔＥＦに相当する発光時間（Ｔｉｍｅ）を直線補間によって求める（Ｓ２１０）。
【００９４】
システム制御回路５０は、本発光時間（Ｔｉｍｅ）を演算した（Ｓ２１０）後、ＡＥ制御での被写体輝度（ＢｖＡＥ）値を取得し（Ｓ２１１）、メモリ５２にプログラムされている手振れ値と比較し（Ｓ２１２）、ＢｖＡＥ値が手振れ値が大きかった場合、システム制御回路は、下記に示す本発光時のゲイン（ＤＧ）の最大値を＋０．４段までに撮像感度調節手段を起動して制御する（Ｓ２１３）。ＢｖＡＥ値が手振れ値以下であった場合、本発光時のゲイン（ＤＧ）の最大値を＋１．２段までに制御する（Ｓ２１４）。
【００９５】
システム制御回路５０は、撮像感度調節手段１５を起動し、ストロボ発光量（ΔＥＦ）とメモリ５２にプログラミングされているテーブルの最大発光量（ＥＦ＿ＥｖＭａｘ）を比較し、ストロボ発光量（ΔＥＦ）がテーブルの最大発光量を上回ったら、上回った分を本発光時のゲイン（ＤＧ）として算出し、本発光の仮ゲイン値を演算し直し、上回っていなければ仮ゲイン値を本発光時のゲイン（ＤＧ）としてゲインの制御を行う（Ｓ２１５）。ＤＧの最大値は上記Ｓ２１３，２１４で制御されている。
【００９６】
次に、システム制御回路５０は、露出制御手段４０を起動し、ストロボ発光量（ΔＥＦ）とメモリ５２にプログラミングされているテーブルの最小発光量（ＥＦ＿ＥｖＭｉｎ）を比較し（Ｓ２１６）、ストロボ発光量（ΔＥＦ）がテーブルの最小発光量を下回ったら、仮絞り制御（ＸＡｖ）値が開放であれば、小絞りに切り替え、本発光時の絞り制御（Ａｖ）値とし、Ｓ２０９からＳ２１０を繰り返し、絞りすぎた分を本発光時間を演算しなおし（Ｓ２１７）、上記本発光時の絞り制御値（Ａｖ）から、絞り機能を備えるシャッター１２を制御して絞り制御（２）を行う（Ｓ２１８）。
【００９７】
また、絞り機能を備えるシャッター１２が、無数段階に調節できる絞りの場合は、ストロボ発光量（ΔＥＦ）とメモリ５２にプログラミングされているテーブルの最小発光量（ＥＦ＿ＥｖＭｉｎ）を比較して（Ｓ２１６）、ストロボ発光量（ΔＥＦ）がテーブルの最小発光量を下回ったら、仮絞り制御（ＸＡｖ）値は、ストロボ発光量(ΔＥＦ)がテーブルの最小発光量を下回った分だけ、絞った絞り制御値を本発光時の絞り制御（Ａｖ）値とし、本発光時間は、最小発光時間のままで、演算しなおしの必要はなく、上記本発光時の絞り制御値（Ａｖ）から、絞り機能を備えるシャッター１２を制御して絞り制御（２）を行う（Ｓ２１８）。
【００９８】
ストロボ発光量（ΔＥＦ）がテーブルの最小発光量以上であれば、仮絞り制御（ＸＡｖ）値を本発光時の絞り制御（Ａｖ）値とし、上記本発光時の絞り制御値（Ａｖ）から、絞り機能を備えるシャッター１２を制御して絞り制御（２）を行う（Ｓ２１８）。
【００９９】
次に、露出制御手段４０を起動し、本発光時の絞り制御値（Ａｖ）から、絞り機能を備えるシャッター１２を制御して絞り制御（２）を行い（Ｓ２１８）、上記露出制御値算出手段が、図示していないがプログラム線図から、絞り制御（Ａｖ）値，ＤＧを基にプリ発光時のシャッター制御（ＴｖＰｒｅ）値を解析して算出し、シャッター制御（２）を行う（Ｓ２１９）。
【０１００】
最後に、システム制御回路５０は、ストロボ制御回路４９を起動して、ストロボ４８を制御して、上記で算出した本発光時間（Ｔｉｍｅ）で発光させる（Ｓ２２０）。
【０１０１】
上記第１の実施例で述べたように、本発光量に演算後に、演算された本発光量とメモリのプログラミングされているテーブルの最小発光量を比較してから、その補正として絞り制御値を演算して絞り制御を行うことによって、本発光時に最小発光でも露出がオーバーになってしまう問題を解消することが可能である。
【０１０２】
次に図１と図２と図４を参照して第２の実施例の動作を説明する。なお、図１及び図２については第１の実施例と同様であり、説明を省略する。
【０１０３】
図４は第２の実施例によるＥＦ制御動作を示すフローチャートであり、図４を用いて本実施例のＥＦ制御について説明する。
【０１０４】
なお、スタートから本発光時間の演算（Ｓ２１４）までは第１の実施例と同様であり、同一のステップ番号を付して説明する。
【０１０５】
システム制御回路５０は、撮像感度調節手段１５を起動し、本発光時のゲイン最大量を決定した（Ｓ２１３、Ｓ２１４）後、ストロボ発光量（ΔＥＦ）とメモリ５２にプログラミングされているテーブルの最小発光量（ＥＦ#ＥｖＭａｘ）を比較し（Ｓ３１５）、ストロボ発光量（ΔＥＦ）がテーブルの最小発光量を下回っていたら、所定のゲイン量を下げ、これを本発光時のゲイン（ＤＧ）とし（Ｓ３１７）、Ｓ２０９からＳ２１０を繰り返し、ゲインを下げすぎた分を本発光時間を演算しなおす（Ｓ３１６）。
【０１０６】
また、ゲイン量をストロボ発光量（ΔＥＦ）がテーブルの最小発光量を下回った分下げた場合は、これを本発光時のゲイン（ＤＧ）とし（Ｓ３１７）、本発光時間を演算しなおす必要はない。
【０１０７】
ストロボ発光量（ΔＥＦ）がテーブルの最小発光量以上であった場合、ストロボ発光量（ΔＥＦ）とメモリ５２にプログラミングされているテーブルの最大発光量（ＥＦ#ＥｖＭａｘ）を比較し、ストロボ発光量（ΔＥＦ）がテーブルの最大発光量を上回ったら、上回った分を本発光時のゲイン（ＤＧ）として算出し、本発光の仮ゲイン値を演算し直し、上回っていなければ仮ゲイン値を本発光時のゲイン（ＤＧ）としてゲインの制御を行う（Ｓ３１７）。ＤＧの最大値は上記Ｓ２１３，２１４で制御されている。
【０１０８】
次に、露出制御手段４０を起動し、仮絞り制御（ＸＡｖ）値を本発光時の絞り制御値（Ａｖ）として絞り機能を備えるシャッター１２を制御して絞り制御２を行う（Ｓ３１８）。
【０１０９】
本発光時のゲイン制御、絞り制御以外は第１の実施例と同様である。以下シャッター制御（２）（Ｓ２１９）から終了まで第１の実施例と同様である。
【０１１０】
上記第２の実施例で述べたように、本発光量に演算後に、演算された本発光量とメモリのプログラミングされているテーブルの最小発光量を比較してから、その補正としてゲインを演算してゲイン制御を行うことによって、本発光時に最小発光でも露出がオーバーになってしまう問題を解消することが可能である。
【０１１１】
なお、本実施例において、記録媒体２００及び２１０は、ＰＣＭＣＩＡカードやコンパクトフラッシュ等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。また、記録媒体２００及び２１０がメモリカードとハードディスク等が一体となった複合媒体であっても勿論問題無い。
【０１１２】
さらに、その複合媒体から一部が着脱可能な構成としても勿論問題無い。そして、実施例の説明においては、記録媒体２００及び２１０は撮像装置１００と分離していて任意に接続可能な着脱可能な記録媒体として説明したが、いずれか或いは全ての記録媒体が撮像装置１００に固定したままとなっていても勿論問題無い。また、撮像装置１００に記録媒体２００或いは２１０が、単数或いは複数の任意の個数接続可能な構成であっても構わない。
【０１１３】
そして、撮像装置１００に記録媒体２００及び２１０が装着する構成として説明したが、記録媒体は単数或いは複数の何れの組み合わせの構成であっても、勿論問題無いことを付け加えておく。
【０１１４】
更に、本実施例においては画像表示を本装置内の画像表示部で行っているが、ＴＦＴ  ＬＣＤ等から成る画像表示部２８の変わりにビデオアンプとビデオ信号出力端子を備えて、装置外部の表示装置に表示する場合や、通信手段１１０及び、コネクタ１１２を用いて外部装置に画像データを転送して表示を行う場合においても同じ効果を発揮する。
【０１１５】
また、上記実施の形態におけるストロボ４８は、発光時間が最小のときには発光量が最小であるものとする。
【０１１６】
【発明の効果】
以上説明したように、本発明によれば、最小発光量よりも低い発光量を算出されても本露光時に露出オーバーしてしまうことを防ぐことができるという効果がある。
【図面の簡単な説明】
【図１】  実施例の構成を示すブロック図
【図２】  実施例の撮像制御動作を示すフローチャート
【図３】  第１の実施例によるＥＦ制御動作を示すフローチャート
【図４】  第２の実施例によるＥＦ制御動作を示すフローチャート
【符号の説明】
１４  撮像素子
１５  撮像感度調整手段
４０  自動露出制御手段
４２  測距制御手段
４４  ズーム制御手段
４６  バリア制御手段
４８  フラッシュ（ストロボ）
５０  システム制御回路
１００  撮像装置
【図１】
0004719371.tif 000002
【図２】
0004719371.tif 000003
【図３】
0004719371.tif 000004
【図４】
0004719371.tif 000005